【事件の表示】
　特願２０１４−５４１５３３「接触制御をアンロックするための接触制御端末、方法及びデバイス」拒絶査定不服審判事件〔平成２５年１１月１４日国際公開、ＷＯ２０１３／１６６８９４、平成２７年　１月１９日国内公表、特表２０１５−５０１９８０、請求項の数（１７）〕について、次のとおり審決する。
【結　論】
　原査定を取り消す。
　本願の発明は、特許すべきものとする。
【理　由】
第１　手続の経緯
　本願は、２０１３年４月８日（パリ条約による優先権主張外国庁受理２０１２年５月８日、中華人民共和国）を国際出願日とする出願であって、平成２７年７月２１日付けで拒絶理由通知がされ、同年１０月２８日付けで手続補正がされ、平成２８年３月１０日付けで拒絶査定（原査定）がされ、これに対し、同年７月１５日に拒絶査定不服審判の請求がされると同時に手続補正がされ、平成２９年１月３１日付けで拒絶理由通知（以下、「当審拒絶理由通知」という。）がされ、同年５月１２日付けで手続補正がされたものである。
第２　原査定の概要
　原査定（平成２８年３月１０日付け拒絶査定）の概要は次のとおりである。
　この出願の請求項１−１７に係る発明は、その出願前に日本国内又は外国において、頒布された以下の引用文献Ａ−Ｃに記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
＜引用文献等一覧＞
Ａ．米国特許出願公開第２０１０／０２５７４９０号明細書
Ｂ．特表２００９−５２１７５３号公報
Ｃ．特開２００９−１２３２０８号公報
第３　当審拒絶理由の概要
　当審拒絶理由の概要は次のとおりである。
１）本件出願の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
２）本件出願は、明細書、特許請求の範囲及び図面の記載が下記の点で不備のため、特許法第３６条第６項第２号に規定する要件を満たしていない。
　　　　　　　記（引用例は、末尾の「引用文献等一覧」参照）
理由１について
請求項１〜１７について引用例１〜４
理由２について
　本願の特許請求の範囲請求項１には、「前記少なくとも一つのアンロック対象は、複数のアンロック対象を含み」と記載されているが、当該記載では、「アンロック対象」が一つの場合を含むのか否か不明瞭である。
　請求項１を引用する請求項２−１２についても同様のことが言える。
　よって、請求項１−１２に係る発明は明確でない。
　　　　　　　　　　　引　用　文　献　等　一　覧
引用例１：特表２００９−５２１７５３号公報（拒絶査定時の引用文献Ｂ）
引用例２：特開２００８−１９１８７９号公報（当審において新たに引用した文献）
引用例３：特開２００４−１１８６０１号公報（当審において新たに引用した文献）
引用例４：米国特許出願公開第２０１０／０２５７４９０号明細書（拒絶査定時の引用文献Ａ）
第４　本願発明
　本願請求項１−１７に係る発明（以下、それぞれ「本願発明１」−「本願発明１７」という。）は、平成２９年５月１２日付けの手続補正で補正された特許請求の範囲の請求項１−１７に記載された事項により特定される発明であり、本願発明１及び本願発明１３はそれぞれ以下のとおりの発明である。
「【請求項１】
接触制御端末により行われる接触制御をアンロックする方法であって、
前記接触制御端末は、複数のアンロック対象と、前記複数のアンロック対象に対応するロック区域が定義された接触感知表面を有し、前記方法は、
前記複数のアンロック対象のいずれかが選択されたか否かを検出するステップと、
前記選択されたアンロック対象を追跡し、選択されなかったアンロック対象を非表示、又は非動作にするステップと、
前記選択されたアンロック対象を幾何学的な中心として、前記選択されたアンロック対象に対応するロック区域を表示するステップと、
前記選択されたアンロック対象が前記対応するロック区域の外側にある複数のアンロック位置のいずれかに位置するとき、前記選択されたアンロック対象に対応する機能のための前記接触制御をアンロックするステップと、
を有し、
それぞれのアンロック対象は、前記接触制御端末の特定の機能に対応し、少なくとも前記特定の機能のための接触制御をアンロックすることが操作可能である方法。」
「【請求項１３】
接触制御端末の接触制御をアンロックするためのデバイスであって、
アンロックしようとする機能に対応する複数のアンロック対象、及びアンロック対象にそれぞれ対応し前記アンロック対象を幾何学的な中心とするロック区域を認識するために配置される対応認識ユニットと、
前記複数のアンロック対象のいずれかが選択された場合、前記選択されたアンロック対象と前記対応するロック区域の間の位置関係を確定し、前記位置関係は、前記選択されたアンロック対象が前記対応するロック区域の縁の内側に位置する第１の関係、前記選択されたアンロック対象が前記対応するロック区域の前記縁に位置する第２の関係、前記対応するアンロック対象が前記ロック区域の前記縁の外側に位置する第３の関係のうちの一つである位置相関ユニットと、
前記選択されたアンロック対象と前記対応するロック区域の前記位置関係が第３の関係を満たす場合に、前記選択されたアンロック対象に対応する機能のための前記接触制御をアンロックするために配置される接触制御アンロックユニットと、
前記複数のアンロック対象のいずれかが選択された場合、選択されなかったアンロック対象を非表示又は非作動にする状態設定ユニットと
を有するデバイス。」
　そして、本願発明２−１２は、本願発明１を直接又は間接的に引用する発明であり、本願発明１４−１６は、本願発明１３を直接又は間接的に引用する発明であり、本願発明１７は、本願発明１３−１６のデバイスを有する接触制御端末である。
第５　引用例、引用発明等
１．引用例１について
　平成２９年１月３１日付けの拒絶の理由に引用された引用例１には、図面とともに次の事項が記載されている。
ａ）「【０００９】
  いくつかの実施形態では、
タッチセンシティブディスプレイを備えた機器を制御する方法は、機器がユーザインタフェースロック状態にある間にタッチセンシティブディスプレイ上に画像を表示するステップと、タッチセンシティブディスプレイとの接触を感知するステップと、感知した接触が、タッチセンシティブディスプレイ上の所定の位置に画像を動かすことに対応する場合は、機器をユーザインタフェースアンロック状態へ移行させるステップと
を含む
【００１０】
  いくつかの実施形態では、タッチセンシティブディスプレイを備えた機器を制御する方法は、機器がユーザインタフェースロック状態にある間にタッチセンシティブディスプレイ上に画像を表示するステップと、タッチセンシティブディスプレイとの接触を感知するステップと、感知した接触が、タッチセンシティブディスプレイ上の所定の経路に従ってタッチセンシティブディスプレイ上の画像を動かすことに対応する場合は、機器をユーザインタフェースアンロック状態へ移行させるステップと、感知した接触が、所定の経路に従って画像を動かすことに対応しない場合は、機器をユーザインタフェースロック状態に保持するステップとを含む。
【００１１】
  いくつかの実施形態では、タッチセンシティブディスプレイを備えた機器を制御する方法は、
機器がユーザインタフェースロック状態にある間にタッチセンシティブディスプレイ上に第１及び第２の画像を表示するステップと、タッチセンシティブディスプレイとの接触を感知するステップと、感知した接触が、第１の画像に対する所定のジェスチャに対応する場合は、機器を第１の画像に対応する第１のアクティブ状態へ移行させるステップと、感知した接触が、第２の画像に対する所定のジェスチャに対応する場合は、機器を第１のアクティブ状態とは異なる第２のアクティブ状態へ移行させるステップとを含む
【００１２】
  
上述の方法は、グラフィカルユーザインタフェース（ＧＵＩ）と、１又はそれ以上のプロセッサと、メモリ及び１又はそれ以上のモジュールと、これらの方法を実行するためにメモリに記憶されたプログラム又は命令のセットを備えたタッチセンシティブディスプレイとを有する携帯用電子機器によって実行する
ｂ）「【００２３】
  
タッチスクリーン１２６は、機器とユーザとの間に出力インタフェースと入力インタフェースとの両方を提供
タッチスクリーン１２６は、視覚的な出力をユーザに表示
【００２４】
  
タッチスクリーン１２６はまた、触覚及び／又は触感のある接触に基づいてユーザからの入力も受け入れ
タッチスクリーン１２６は、ユーザ入力を受け入れるタッチセンシティブな表面を形成
ｃ）「【００４４】
  いくつかの実施形態では、
ロックされた機器は、ユーザが機器をアンロックするために実行できるアンロックアクションについての１又はそれ以上の視覚的な合図をタッチスクリーン上に表示
この（単複の）視覚的な合図は、ユーザにアンロックアクションについてのヒント又は助言を提供するもの
機器がロックされている間の特定イベントの発生時にこの視覚的な合図が表示され
【００４５】
  アンロックアクションにはタッチスクリーンとの接触が含まれる。いくつかの実施形態では、
アンロックアクションは、タッチスクリーン上で行われる所定のジェスチャ
ジェスチャとは、タッチスクリーンに接触するオブジェクト／付属物の動きのこと
ｄ）「【００５２】
  機器がロックされている間、機器は、上述のようにアンロックアクションについての１又はそれ以上の視覚的な合図を表示することができる。いくつかの実施形態では、機器は
また、視覚的な合図と共にアンロック画像を表示することができる
アンロック画像とは、ユーザが機器をアンロックするために交信するグラフィカルでインタラクティブなユーザインタフェースオブジェクトのこと
アンロックアクションはアンロック画像に対して行われ
中略
【００５５】
  機器は、動作２０２（図２）の場合と同様に、ロック条件を満たした時にロックされる（３０２）。アンロック画像及びこのアンロック画像を用いたアンロックアクションについての視覚的な合図が表示される（３０４）。動作３０４は、動作３０４では視覚的な合図に加えてアンロック画像が表示されるという点を除き、動作２０４（図２）と同じである。
【００５６】
  上述のように、アンロックアクションにはアンロック画像との交信が含まれる。いくつかの実施形態では、
アンロックアクションは、ユーザがアンロック画像に対して所定のジェスチャを行うステップを含む
このジェスチャは、１又はそれ以上の所定のアンロック基準を満たすタッチスクリーン上の位置にアンロック画像をドラッグするステップを含
このアンロックアクションは、所定のジェスチャの完了時にタッチスクリーンとの接触を中断する（従ってアンロック画像を放す）ことにより完了する
【００５７】
  
１又はそれ以上の所定のアンロック基準を満たす位置とは、単に、機器をアンロックするためにアンロック画像がドラッグされる位置として事前に定めたタッチスクリーン上のある位置のことである
この（単複の）位置は、狭く又は広く定めることができ、タッチスクリーン上の１又はそれ以上の特定の位置、タッチスクリーン上の１又はそれ以上の領域、或いはこれらの任意の組合せとすることができ
【００５８】
  いくつかの実施形態では、上記交信は、アンロック画像をタッチスクリーン上の所定の位置にドラッグするステップを含む。例えば、アンロックアクションは、タッチスクリーンの１つの角からタッチスクリーンの別の角にアンロック画像をドラッグするステップを含むことができる。別の例として、アンロックアクションは、タッチスクリーンの１つの端からその反対側の端にアンロック画像をドラッグするステップを含むことができる。ここでの重点は、アンロック画像の（及び指の）最終目的地に置かれている。従って
ユーザは、任意の望ましい経路に沿ってアンロック画像をその初期位置からドラッグすることができ
アンロック画像が所定の位置に達し、その位置で放されさえすれば、機器はアンロックされ
【００５９】
  いくつかの別の実施形態では、このアンロックアクションは、所定の経路に沿ってアンロック画像をドラッグするステップを含む。例えば、このアンロックアクションは、角の１つからタッチスクリーンの周囲（タッチスクリーンの周囲に存在する経路）に沿ってアンロック画像を時計周りに元の位置へドラッグするステップを含むことができる。別の例として、このアンロックアクションは、タッチスクリーンの１つの端からその反対側の端に直線経路でアンロック画像をドラッグするステップを含むことができる。ここでの重点は、アンロック画像（及び指）が沿って動く経路に置かれている。重点が経路に置かれるため、アンロック画像が動かされる最終的な位置を広く定めることができる。例えば、このアンロックアクションは、その初期位置から所定の経路に沿ってタッチスクリーン上の所定の領域内の任意のスポットへアンロック画像をドラッグすることとすることができる。この所定の経路は、１又はそれ以上の直線、或いは曲がりくねった線を含むことができる。」（【００５２】〜【００５９】の記載。）
ｅ）「【００６９】
  いくつかの実施形態では、
ロック／アンロック機能を機器４００全体に適用するのではなく、機器４００で実行されている特定のアプリケーションに適用することができる
ｆ）「【００８９】
  イベント又はアプリケーションに対応するユーザインタフェースアクティブ状態
  図９は、本発明のいくつかの実施形態による複数のアンロック画像のうちの１つに対応するユーザインタフェースアクティブ状態に機器を移行させるための処理９００を示すフロー図である。
いくつかの実施形態では、機器がロックされたとき、機器は１又はそれ以上のアクティブなアプリケーションを実行させることができ
機器は、各々がアクティブなアプリケーション
に対応する複数のアンロック画像をタッチスクリーン上に表示することができ
複数のアンロック画像のうちの１つを用いてアンロックアクションを行うことで、機器をアンロックし、このアンロック画像に対応するアプリケーション
を表示
【００９０】
  機器は、所定のロック条件を満たした時にロックされる（９０２）。機器は、ロックされている時に、アクティブなアプリケーションを実行させることができ、機器がロックされている間、このアクティブなアプリケーションを実行し続けることができる。さらに、機器がロックされている間、この機器は、着呼、メッセージ、及びボイスメール通知などのイベントを受信することができる。
【００９１】
  機器がロックされている間、この機器は、各々が実行中のアクティブなアプリケーション又は受信したイベントに対応する複数のアンロック画像を表示する（９０４）。いくつかの実施形態では、機器はまた、個々のアンロック画像に対するアンロックアクションについての視覚的な合図も表示する。機器は、追加のイベントを受信したときに、追加のアンロック画像及び視覚的な合図を表示することができる。ユーザがタッチスクリーンに触れる（９０６）。機器が接触ジェスチャを感知する（９０８）。感知した接触ジェスチャが、（例えば、この接触が、アンロックアクションを行うための試行ではないか、或いは失敗／中止したアンロックアクションであるという理由で）表示されたアンロック画像のうちの任意の１つに対する正常なアンロックアクションの動作に対応しない場合（９１０−いいえ）、機器はロックされたままとなる（９１２）。感知した接触ジェスチャが、表示されたアンロック画像のうちの１つに対する正常なアンロックアクションの動作に対応する場合（９１０−はい）、タッチスクリーンはアンロックされ、このアンロック画像のうちの１つに対応する実行中のアプリケーション又はイベントがタッチスクリーンに表示される（９１４）。換言すれば、感知した接触が第１の画像に対する所定のジェスチャに対応する場合、機器は第１の画像に対応する第１のアクティブ状態へ移行し、感知した接触が、第２の画像に対する所定のジェスチャに対応する場合、機器は、第１のアクティブ状態とは異なる第２の画像に対応する第２のアクティブ状態へ移行することになる。
【００９２】
  特定のアンロック画像に対するアンロックアクションの動作時に、機器はアンロック状態となり、対応するイベント又はアプリケーションをユーザに見えるようにし、アクティブにし、或いはバックグラウンドで実行するのではなくフォアグラウンドで実行するようにする。機器がアンロックされることに加え、ユーザインタフェースアクティブ状態は、ユーザが交信した特定のアンロック画像に対応する実行中のアプリケーション又は着信イベントをタッチスクリーン上に目立つように表示するステップを含む。従って、（複数のアンロック画像が表示される場合）
第１のアンロック画像を用いたアンロッキングは、機器を第１のユーザインタフェースアクティブ状態へ移行させ、この状態では機器がアンロックされ、第１のアンロック画像に対応するアプリケーション
が目立つように表示されるようになる
第２の画像を用いたアンロッキングは、機器を第２のユーザインタフェースアクティブ状態へ移行させ、この状態では機器がアンロックされ、第２のアンロック画像に対応するアプリケーション
が目立つように表示されるようになる
　上記下線部及び関連箇所の記載によれば、引用例１には、タッチセンシティブディスプレイを備えた機器を制御する方法として、以下の発明（以下、「引用発明」という。）が記載されている。
　「タッチセンシティブディスプレイを備えた機器を制御する方法は、機器がユーザインタフェースロック状態にある間にタッチセンシティブディスプレイ上に画像を表示するステップと、タッチセンシティブディスプレイとの接触を感知するステップと、感知した接触が、タッチセンシティブディスプレイ上の所定の位置に画像を動かすことに対応する場合は、機器をユーザインタフェースアンロック状態へ移行させるステップとを含むものであり、
　機器がユーザインタフェースロック状態にある間にタッチセンシティブディスプレイ上に第１及び第２の画像を表示するステップと、タッチセンシティブディスプレイとの接触を感知するステップと、感知した接触が、第１の画像に対する所定のジェスチャに対応する場合は、機器を第１の画像に対応する第１のアクティブ状態へ移行させるステップと、感知した接触が、第２の画像に対する所定のジェスチャに対応する場合は、機器を第１のアクティブ状態とは異なる第２のアクティブ状態へ移行させるステップとを含み、
  タッチスクリーン１２６は、機器とユーザとの間に出力インタフェースと入力インタフェースとの両方を提供し、タッチスクリーン１２６は、視覚的な出力をユーザに表示し、タッチスクリーン１２６はまた、触覚及び／又は触感のある接触に基づいてユーザからの入力も受け入れ、タッチスクリーン１２６は、ユーザ入力を受け入れるタッチセンシティブな表面を形成するものであり、
　ロックされた機器は、ユーザが機器をアンロックするために実行できるアンロックアクションについての１又はそれ以上の視覚的な合図をタッチスクリーン上に表示し、この（単複の）視覚的な合図は、ユーザにアンロックアクションについてのヒント又は助言を提供するものであり、機器がロックされている間の特定イベントの発生時にこの視覚的な合図が表示され、
　アンロックアクションは、タッチスクリーン上で行われる所定のジェスチャであり、ジェスチャとは、タッチスクリーンに接触するオブジェクト／付属物の動きのことであり、
　また、視覚的な合図と共にアンロック画像を表示することができ、アンロック画像とは、ユーザが機器をアンロックするために交信するグラフィカルでインタラクティブなユーザインタフェースオブジェクトのことであり、アンロックアクションはアンロック画像に対して行われ、
　アンロックアクションは、ユーザがアンロック画像に対して所定のジェスチャを行うステップを含み、このジェスチャは、１又はそれ以上の所定のアンロック基準を満たすタッチスクリーン上の位置にアンロック画像をドラッグするステップを含み、換言すれば、ユーザは、アンロック画像に対応する位置でタッチスクリーンに接触し、次にタッチスクリーンとの持続的な接触を維持しながら所定のジェスチャを行い、所定のアンロック基準を満たす位置に画像をドラッグすることになり、このアンロックアクションは、所定のジェスチャの完了時にタッチスクリーンとの接触を中断する（従ってアンロック画像を放す）ことにより完了し、
　１又はそれ以上の所定のアンロック基準を満たす位置とは、単に、機器をアンロックするためにアンロック画像がドラッグされる位置として事前に定めたタッチスクリーン上のある位置のことであり、この（単複の）位置は、狭く又は広く定めることができ、タッチスクリーン上の１又はそれ以上の特定の位置、タッチスクリーン上の１又はそれ以上の領域、或いはこれらの任意の組合せとすることができ、
　ユーザは、任意の望ましい経路に沿ってアンロック画像をその初期位置からドラッグすることができ、アンロック画像が所定の位置に達し、その位置で放されさえすれば、機器はアンロックされるものであり、
　ロック／アンロック機能を機器４００全体に適用するのではなく、機器４００で実行されている特定のアプリケーションに適用することができ、
　いくつかの実施形態では、機器がロックされたとき、機器は１又はそれ以上のアクティブなアプリケーションを実行させることができ、
　機器は、各々がアクティブなアプリケーションに対応する複数のアンロック画像をタッチスクリーン上に表示することができ、複数のアンロック画像のうちの１つを用いてアンロックアクションを行うことで、機器をアンロックし、このアンロック画像に対応するアプリケーションを表示するものであり、
　第１のアンロック画像を用いたアンロッキングは、機器を第１のユーザインタフェースアクティブ状態へ移行させ、この状態では機器がアンロックされ、第１のアンロック画像に対応するアプリケーションが目立つように表示されるようになり、
　第２の画像を用いたアンロッキングは、機器を第２のユーザインタフェースアクティブ状態へ移行させ、この状態では機器がアンロックされ、第２のアンロック画像に対応するアプリケーションが目立つように表示されるようになるものである
　タッチセンシティブディスプレイを備えた機器を制御する方法。」
　また、引用例１の【００１２】の記載によれば、引用例１には、「『引用発明』を実行する、タッチセンシティブディスプレイを有する携帯用電子機器」の発明（以下、「引用発明２」という。）も記載されている。
２．引用例２について
　原査定の拒絶の理由に引用された引用例２には、図面とともに以下の事項が記載されている。
ａ）「【０２１１】
  すなわち、ユーザは、画面４０１ａを見ればすぐに、取得したホームページにおいて、コンテンツ、プログラム、およびマニュアルが入手可能であることが直感的にわかる。
【０２１２】
  また、図３（ｂ）は、図３（ａ）の画面４０１ａから１ステップ進んだ画面４０１ｂを示す。詳細には、図３（ａ）の画面４０１ａを見た（すなわち、このホームページを訪れた）
ユーザが、情報表示装置１００に備えられた入力装置１０４などを用いてコンテンツのアイコン４０２ａを選択することにより、コンテンツのアイコン４０２ｂ以外のプログラムのアイコン４０３ｂおよびマニュアルのアイコン４０４ｂが、非選択状態に切り替わった場合
【０２１３】
  
この場合、
非選択状態を示す表示例として、非選択アイコンを消してしまう
３．引用例３について
　原査定の拒絶の理由に引用された引用例３には、図面とともに以下の事項が記載されている。
ａ）「【００２４】
次に、前記の手順でリモコン２０の
選択確定操作がなされ
先ず、
フォトアルバムの項目アイコン３３が選択されたとすると、ウインドウＲ０内のそれ以外の項目アイコン３１，３２，３４を消去する
そして、項目アイコン３３を視認可能な時間をかけて画面の右上隅へ移動させる（Ｓ１４→Ｓ１５）。
即ち、図５に示すように、項目アイコン３１，３２，３４が消去されたウインドウＲ０内で、項目アイコン３３をその初期位置Ａｓから位置Ａ１，Ａ２を経て右上隅の最終位置Ａｆへ除々に移動させる。」（【００２４】の記載。）
４．引用例４について
　原査定の拒絶の理由に引用された引用例４には、図面とともに以下の事項が記載されている。
ａ）「[0056]In one embodiment, an indicator is displayed to inform the user that device  400  is locked. For example, in  FIG. 4A , a padlock icon is shown as part of movable user interface object  403 . In the example, movable object  403  is shown at an initial location referred to herein as its origin. In various embodiments, movable object  403  can take any form and can include an icon, text, image, or any combination thereof, and can be of any desired shape or size.
[0057]One skilled in the art will recognize that any type of indicator can be used, including one or more icons, text, status indicators (such as LED indicators), or the like. In some embodiments, audio and/or tactile indicators can also be used to inform the user that device  400  is locked; for example, device  400  may emit a distinctive beep or other sound when the user attempts to interact with device  400  while it is locked.
[0058]In one embodiment, movable object  403  responds to the user's touch, so that the user can drag object  403  in any desired direction on screen  401 . Such functionality can be implemented, for example, using known techniques for touchscreen operation. Alternatively, object  403  may move in response to the user's input via other input means, such as a touchpad, trackball, or the like.
[0059]In one embodiment, device  400  is unlocked when object  403  moves a sufficient distance away from its origin. In one embodiment, the particular direction of movement is irrelevant. In another embodiment, the direction of movement of object  403  is constrained, for example by the edge of screen  401 ; thus, device  400  is unlocked when object  403  moves a sufficient distance away from its origin in a direction that falls within a defined range of directions.
[0060]In yet another embodiment, device  400  is unlocked when object  403  moves far enough from its origin to touch or cross a threshold boundary. The threshold boundary may or not be explicitly shown on device  400 . In one embodiment, the threshold boundary is shown on-screen in response to user contact with screen  401  or in response to detection of user input moving object  403, and the threshold boundary is not shown on-screen when the user releases object  403  by ending contact with screen  401 .
[0061]In various embodiments, the threshold boundary may be defined as a circle surrounding the origin, or an arc defining a portion of a circle surrounding the origin, or a straight line. Alternatively, the threshold boundary may be defined by any other arbitrary means.
[0062]Referring now to  FIGS. 4B and 4C , there is shown an example of an unlocking mechanism according to one embodiment of the present invention, wherein a threshold boundary  404  is defined as an arc partially surrounding the origin point of movable object  403 .  FIG. 4B  depicts an example of screen  401  when the user initiates contact or movement of object  403 ;  FIG. 4C  depicts an example of screen  401  after the user has begun to drag object  403  upward toward threshold boundary  404 .
[0063]As depicted in  FIGS. 4B and 4C , in one embodiment threshold boundary  404  becomes visible when the user starts to drag object  403 ; if the user releases object  403  before completing the unlock operation, threshold boundary  404  disappears from screen  401  and object  403  returns to its origin. Alternatively, threshold boundary  404  may be visible at all times. Alternatively, threshold boundary  404  may not be visible at all.」（[0056]〜[0063]の記載。）
（当審訳：[0056]一実施形態では、
装置400がロックされていることをユーザに知らせるために、インジケータが表示され
例えば、
ユーザインターフェースオブジェクト403の一部として、南京錠アイコンが示され
移動可能なオブジェクト403は、
その「原点」として言及される初期位置に示され
[0057]当業者は、１つまたは複数のアイコン、テキスト、状態インジケータ(LED表示器のような)、またはそのようなものを含む、任意のタイプのインジケータを使用することができることを認識するであろう。いくつかの実施形態では、音声及び/又は触覚的インジケータがまた、装置400がロックされていることをユーザに知らせるために用いることができ、例えば、それがロックされている間に、ユーザが装置400と対話しようと試みる場合に、装置400は、特徴的なビープ音または他の音を発することができる。
[0058]一実施形態では、
ユーザが、画面401上の任意の所望の方向にオブジェクト403をドラッグすることができるように、移動可能なオブジェクト403は、ユーザのタッチに応答
[0059]一実施形態では、オブジェクト403がその原点から十分な距離を移動すると、装置400のロックは解除される。一実施形態では、移動の特定の方向は無関係である。別の実施形態では、例えば画面401の縁によって、オブジェクト403の移動方向は制約されているので、オブジェクト403が、規定される範囲の方向内に収まる方向に、原点から十分な距離を移動したとき、装置400のロックが解除される。
[0060]さらに別の実施形態では、オブジェクト403が、閾値境界に接触又は交差するまで、その原点から十分遠くに移動すると、装置400のロックが解除される。閾値境界は、装置400に明示的に示すことができ、または、示されない。一実施形態では、
スクリーン401とのユーザの接触に応答して、または、オブジェクト403を移動させるユーザの入力の検出に応答して、閾値境界は画面上に示され
[0061]様々な実施形態において、閾値境界は、原点を囲む円、または、原点を囲む円の一部を規定する円弧、または、直線として定義することができる。あるいは、閾値境界は、任意の他の任意の手段によって定義することができる。
[0062]図4Bおよび図4Cを参照して、本発明の一実施形態に係るロック解除機構の例が示され、そこで、
移動可能なオブジェクト403の原点を部分的に囲む円弧として、閾値境界404は定義され
図4Bは、ユーザがオブジェクト403への接触や移動を開始するときの画面401の一例を示す。図4Cは、ユーザがオブジェクト403を閾値境界404に向かって上方にドラッグを開始した後の画面401の一例を示す。
[0063]図4Bおよび図4Cに示されるように、一実施形態では、ユーザがオブジェクト403をドラッグすることを開始すると、閾値境界404が見えるようになる。もし、ユーザがアンロック操作を完了する前にオブジェクト403を離すと、閾値境界404は画面401から消え、また、オブジェクト403はその原点に戻る。あるいは、閾値境界404は、常に、見ることができる。あるいは、閾値境界404は全く見えなくてもよい。）
ｂ）「[0067]In one embodiment, once object  403  crosses threshold boundary  404, or otherwise moves a sufficient distance from the origin, device  400  is unlocked and the user is given access to various features and/or functions of device  400. In one embodiment, distinctive visual, auditory, and/or tactile feedback is provided to inform the user that device  400  has been unlocked. In one embodiment, device  400  is unlocked in response to any part of object  403  touching threshold boundary  404 ; in another embodiment, device  400  is unlocked when object  403  fully crosses threshold boundary  404 ; in yet another embodiment, device  400  is unlocked when object  403  substantially crosses threshold boundary  404.
[0068]In one embodiment, if the user releases movable object  403  before crossing threshold boundary  404, or before moving object  403  a sufficient distance from the origin, device  400  remains in its locked state. In one embodiment, object  403  returns to its origin. In one embodiment, distinctive visual, auditory, and/or tactile feedback is provided to inform the user that device  400  is still locked.」（[0067]〜[0068]の記載。）
（当審訳：[0067]一実施形態では、オブジェクト403が閾値境界404と交差する時点か、そうでなければ、原点から十分な距離を移動する時点で、装置400がロック解除され、そして、ユーザは、装置400の様々な特徴および/または機能へのアクセス権が与えられる。一実施形態では、区別可能な視覚、聴覚および/または触覚フィードバックが、装置400のロックが解除されたことをユーザに通知するために設けられる。一実施形態において、オブジェクト403のいずれかの部分が閾値境界404に接触することに応答して、装置400は、ロック解除され、別の実施形態では、
オブジェクト403が閾値境界404と完全に交差する時に、装置400は、ロック解除され
[0068]一実施形態において、もし、ユーザが、閾値境界404と交差する前に、または、原点から十分な距離をオブジェクト403が移動する前に、移動可能なオブジェクト403を離すと、装置400は、ロック状態のままとなる。一実施形態では、オブジェクト403は、その原点に戻る。一実施形態では、区別可能な視覚、聴覚および/または触覚フィードバックは、装置400がまだロックされていることをユーザに通知するために設けられる。）
　上記下線部及び関連箇所の記載によれば、引用例４には、「装置400がロックされていることをユーザに知らせるために、インジケータが、例えば、移動可能なユーザインターフェースオブジェクト403の一部として、南京錠アイコンが示され、
　移動可能なオブジェクト403は、その「原点」として言及される初期位置に示され、
　ユーザが、画面401上の任意の所望の方向にオブジェクト403をドラッグすることができるように、移動可能なオブジェクト403は、ユーザのタッチに応答し、
　スクリーン401とのユーザの接触に応答して、または、オブジェクト403を移動させるユーザの入力の検出に応答して、閾値境界は画面上に示され、
　移動可能なオブジェクト403の原点を部分的に囲む円弧として、閾値境界404は定義され、
　オブジェクト403が閾値境界404と完全に交差する時に、装置400は、ロック解除される」技術（以下、「引用例４記載の技術」という。）が記載されている。
第６　対比・判断
１．本願発明１について
（１）対比
　本願発明１と引用発明とを対比する。 
ア．引用発明の「タッチセンシティブディスプレイを備えた機器を制御する方法」は、「機器をユーザインタフェースアンロック状態へ移行させるステップとを含む」ものであるから、本願発明１の「接触制御端末により行われる接触制御をアンロックする方法」に相当する。
イ．引用発明の「アンロック画像」は、「ユーザが機器をアンロックするために交信するグラフィカルでインタラクティブなユーザインタフェースオブジェクト」であるから、本願発明１の「アンロック対象」に相当する。
　そして、引用発明は、「各々がアクティブなアプリケーションに対応する複数のアンロック画像をタッチスクリーン上に表示することができ」るものであるから、引用発明の「タッチスクリーン」を備えた「タッチセンシティブディスプレイを備えた機器」は、本願発明１の「接触制御端末」と、「前記接触制御端末は、複数のアンロック対象」「が定義された接触感知表面を有」する点で一致するといえる。
　また、引用発明は、「アンロックアクションは、ユーザがアンロック画像に対して所定のジェスチャを行うステップを含み、このジェスチャは、１又はそれ以上の所定のアンロック基準を満たすタッチスクリーン上の位置にアンロック画像をドラッグするステップ」を含むものであり、「１又はそれ以上の所定のアンロック基準を満たす位置とは、単に、機器をアンロックするためにアンロック画像がドラッグされる位置として事前に定めたタッチスクリーン上のある位置のことであり、この（単複の）位置は、狭く又は広く定めることができ、タッチスクリーン上の１又はそれ以上の特定の位置、タッチスクリーン上の１又はそれ以上の領域」であるから、引用発明の「タッチスクリーン」には、「アンロック画像」をドラッグすることによりアンロックを行う領域が定義されているといえる。
　ここで、「アンロック画像」をドラッグすることによりアンロックを行う領域以外の領域は、「アンロック画像」をドラッグしてもロックされたままの領域であるから、引用発明の「タッチスクリーン」には、「アンロック画像」をドラッグしてもロックされたままの領域が定義されているともいい得、引用発明は、「各々がアクティブなアプリケーションに対応する複数のアンロック画像をタッチスクリーン上に表示することができ」るものであることを考慮すれば、当該ロックされたままの領域は、複数のアンロック画像に対応して定義されているといえる。
　そして、引用発明の当該ロックされたままの領域は、本願発明１の「アンロック対象に対応するロック区域」に相当し、引用発明の「タッチスクリーン」を備えた「タッチセンシティブディスプレイを備えた機器」は、本願発明１の「接触制御端末」と、「前記接触制御端末は、」「前記複数のアンロック対象に対応するロック区域が定義された接触感知表面を有」する点で一致するといえる。
　したがって、引用発明の「タッチスクリーン」を備えた「タッチセンシティブディスプレイを備えた機器」は、本願発明１の「接触制御端末」と、「前記接触制御端末は、複数のアンロック対象と、前記複数のアンロック対象に対応するロック区域が定義された接触感知表面を有」する点で一致するといえる。
ウ．引用発明は「各々がアクティブなアプリケーションに対応する複数のアンロック画像をタッチスクリーン上に表示することができ、複数のアンロック画像のうちの１つを用いてアンロックアクションを行うことで、機器をアンロックし、このアンロック画像に対応するアプリケーションを表示するもの」であるから、いずれの「アンロック画像」が選択されたのかを検出していることは明らかであり、本願発明１の「前記複数のアンロック対象のいずれかが選択されたか否かを検出するステップ」に相当する構成を有しているといえる。
エ．引用発明は「アンロック画像をその初期位置からドラッグすることができ、アンロック画像が所定の位置に達し、その位置で放されさえすれば、機器はアンロックされるもの」であるから、ドラッグされる「アンロック画像」を追跡しているのは明らかであり、引用発明は、本願発明１の「前記選択されたアンロック対象を追跡し、選択されなかったアンロック対象を非表示、又は非動作にするステップ」を有する構成と「前記選択されたアンロック対象を追跡するステップ」を有する構成である点では共通する構成を有するといえる。
オ．引用発明の「アンロックアクション」は「ユーザが機器をアンロックするために実行」するものであり、また、引用発明は、「アンロックアクションは、ユーザがアンロック画像に対して所定のジェスチャを行うステップを含み、このジェスチャは、１又はそれ以上の所定のアンロック基準を満たすタッチスクリーン上の位置にアンロック画像をドラッグするステップ」を有し、「複数のアンロック画像のうちの１つを用いてアンロックアクションを行うことで、機器をアンロックし、このアンロック画像に対応するアプリケーションを表示する」ものである。
　そして、引用発明の「アンロック基準を満たすタッチスクリーン上の位置」は、上記イ．の「アンロック画像」をドラッグしてもロックされたままの領域、すなわち、ロック区域ともいい得る領域の外にあることは明らかであるから、引用発明は、本願発明１の「前記選択されたアンロック対象が前記対応するロック区域の外側にある複数のアンロック位置のいずれかに位置するとき、前記選択されたアンロック対象に対応する機能のための前記接触制御をアンロックするステップ」を有する構成と「前記選択されたアンロック対象が対応するロック区域の外側にある複数のアンロック位置のいずれかに位置するとき、前記選択されたアンロック対象に対応する機能のための前記接触制御をアンロックするステップ」を有する構成である点では共通する構成を有するといえる。
カ．引用発明は「第１のアンロック画像を用いたアンロッキングは、機器を第１のユーザインタフェースアクティブ状態へ移行させ、この状態では機器がアンロックされ、第１のアンロック画像に対応するアプリケーションが目立つように表示されるようになり、
　第２の画像を用いたアンロッキングは、機器を第２のユーザインタフェースアクティブ状態へ移行させ、この状態では機器がアンロックされ、第２のアンロック画像に対応するアプリケーションが目立つように表示されるようになるもの」であることは、本願発明１の「それぞれのアンロック対象は、前記接触制御端末の特定の機能に対応し、少なくとも前記特定の機能のための接触制御をアンロックすることが操作可能」であることに相当する。
　したがって、本願発明１と引用発明との間には、次の一致点と相違点があるといえる。 
　
〈一致点〉
「接触制御端末により行われる接触制御をアンロックする方法であって、
前記接触制御端末は、複数のアンロック対象と、前記複数のアンロック対象に対応するロック区域が定義された接触感知表面を有し、前記方法は、
前記複数のアンロック対象のいずれかが選択されたか否かを検出するステップと、
前記選択されたアンロック対象を追跡するステップと、
前記選択されたアンロック対象が対応するロック区域の外側にある複数のアンロック位置のいずれかに位置するとき、前記選択されたアンロック対象に対応する機能のための前記接触制御をアンロックするステップと、
を有し、
それぞれのアンロック対象は、前記接触制御端末の特定の機能に対応し、少なくとも前記特定の機能のための接触制御をアンロックすることが操作可能である方法。」
〈相違点１〉
　本願発明１は、「前記選択されたアンロック対象を追跡し、選択されなかったアンロック対象を非表示、又は非動作にするステップ」を有するものであるのに対し、引用発明は、ドラッグされる「アンロック画像」を追跡しているものの、その他のドラッグされない「アンロック画像」を非表示、又は非動作にするものではない点。
〈相違点２〉
　本願発明１は、「選択されたアンロック対象を幾何学的な中心として、前記選択されたアンロック対象に対応するロック区域を表示するステップ」を有するものであるのに対し、引用発明は、そのような構成を有するものではない点。
〈相違点３〉
　本願発明１は、「選択されたアンロック対象を幾何学的な中心として、」「表示」されたものである「対応するロック区域」の外側にある複数のアンロック位置のいずれかに「選択されたアンロック対象」が位置するときに接触制御をアンロックするものであるのに対し、引用発明は、「アンロック画像」を「１又はそれ以上の所定のアンロック基準を満たすタッチスクリーン上の位置」にドラッグしたときにアンロックするものである点。
（２）相違点１についての判断
　引用例２に「コンテンツのアイコンを選択することにより、コンテンツのアイコン以外のプログラムのアイコンおよびマニュアルのアイコンを消してしまう」ことが、引用例３に「項目アイコン３３が選択されたとすると、それ以外の項目アイコン３１，３２，３４を消去する」ことが記載されるように、選択されたオブジェクト以外のオブジェクトを消去することは、本願の優先日前周知技術であったものと認められる。
　しかしながら、引用例２、引用例３には、選択されたアイコンをドラッグする（本願発明１の「追跡」に相当する）場合に選択されなかったアイコンを消去することは記載されておらず、当該事項が本願の優先日前周知技術であったとはいえない。
　したがって、相違点１に係る本願発明１の「前記選択されたアンロック対象を追跡し、選択されなかったアンロック対象を非表示、又は非動作にするステップ」の構成は、当業者であっても引用発明及び上記周知技術に基づいて容易に発明できたものであるとはいえない。
　以上のとおりであるから、相違点２，３を検討するまでもなく、本願発明１は、引用発明、引用例４記載の技術事項および上記周知技術に基づいて、当業者が容易に発明をすることができたとはいえない。
２．請求項２−１２について
　本願発明２−１２は、本願発明１を直接又は間接的に引用する発明であり、上記相違点１に係る本願発明１の「前記選択されたアンロック対象を追跡し、選択されなかったアンロック対象を非表示、又は非動作にするステップ」と同一の構成を備えるものであるから、本願発明１と同じ理由により、当業者であっても、引用発明、引用例４記載の技術および上記周知技術に基づいて容易に発明をすることができたものとはいえない。
３．請求項１３について
（１）対比
　本願発明１３と引用発明２とを対比する。
ア．引用発明２の「タッチセンシティブディスプレイを有する携帯用電子機器」は「接触制御端末」といい得るものであり、引用発明２は「任意の望ましい経路に沿ってアンロック画像をその初期位置からドラッグすることができ、アンロック画像が所定の位置に達し、その位置で放されさえすれば、機器はアンロックされるもの」であるから、引用発明２が「接触制御をアンロックするためのデバイス」といい得る構成を有するのは明らかであり、引用発明２の当該構成は、本願発明１３の「接触制御端末の接触制御をアンロックするためのデバイス」に相当する。
イ．引用発明２は、「各々がアクティブなアプリケーションに対応する複数のアンロック画像をタッチスクリーン上に表示することができ」、「アンロックアクションは、ユーザがアンロック画像に対して所定のジェスチャを行うステップを含み、このジェスチャは、１又はそれ以上の所定のアンロック基準を満たすタッチスクリーン上の位置にアンロック画像をドラッグするステップ」を含むものであり、「この（単複の）位置は、狭く又は広く定めることができ、タッチスクリーン上の１又はそれ以上の特定の位置、タッチスクリーン上の１又はそれ以上の領域」であるから、引用発明２は、「複数のアンロック画像」及び「アンロック画像」にそれぞれ対応し当該「アンロック画像」をドラッグすることによりアンロックを行う領域を認識する構成を有するといえる。
　ここで、「アンロック画像」をドラッグすることによりアンロックを行う領域以外の領域は、「アンロック画像」をドラッグしてもロックされたままの領域であるから、引用発明２は、「複数のアンロック画像」及び「アンロック画像」にそれぞれ対応し当該「アンロック画像」をドラッグしてもロックされたままの領域を認識する構成を有するともいい得る。
　そして、引用発明２の「アンロック画像」は、「ユーザが機器をアンロックするために交信するグラフィカルでインタラクティブなユーザインタフェースオブジェクト」であり、引用発明２は、「各々がアクティブなアプリケーションに対応する複数のアンロック画像」を有するものであるから、引用発明２の「複数のアンロック画像」は、本願発明１３の「アンロックしようとする機能に対応する複数のアンロック対象」に相当し、引用発明２の当該ロックされたままの領域は、本願発明１３の「アンロック対象を幾何学的な中心とするロック区域」と「ロック区域」である点では一致する。
　したがって、引用発明２の「複数のアンロック画像」及び「アンロック画像」にそれぞれ対応し当該「アンロック画像」をドラッグしてもロックされたままの領域を認識する構成は、本願発明２の「アンロックしようとする機能に対応する複数のアンロック対象、及びアンロック対象にそれぞれ対応し前記アンロック対象を幾何学的な中心とするロック区域を認識するために配置される対応認識ユニット」と、「アンロックしようとする機能に対応する複数のアンロック対象、及びアンロック対象にそれぞれ対応するロック区域を認識するために配置される対応認識ユニット」である点で一致するといえる。
ウ．引用発明２は、「任意の望ましい経路に沿ってアンロック画像をその初期位置からドラッグすることができ、アンロック画像が所定の位置に達し、その位置で放されさえすれば、機器はアンロックされるもの」であり、上記所定の位置は「所定のアンロック基準を満たすタッチスクリーン上の位置」であり「狭く又は広く定めることができ、タッチスクリーン上の１又はそれ以上の特定の位置、タッチスクリーン上の１又はそれ以上の領域」であるから、引用発明２は、ドラッグされるアンロック画像が、所定のアンロック基準を満たす領域の内側に位置するか否かを確定し、アンロック画像が、所定のアンロック基準を満たす領域の内側に位置する場合にアンロックする構成を有するといえる。
　そして、「ドラッグされるアンロック画像」とは、複数の中からユーザにより選択され移動されるアンロック画像であり、上記イ．で述べたことと同様に、「アンロック画像が、所定のアンロック基準を満たす領域の内側に位置するか否か」は、「アンロック画像が、アンロック画像をドラッグしてもロックされたままの領域の外側に位置するか否か」ともいい得るものであるから、引用発明２の上記「ユーザが所定のジェスチャを行ったアンロック画像が、所定のアンロック基準を満たす領域の内側に位置するか否かを確定し、アンロック画像が、所定のアンロック基準を満たす領域の内側に位置する場合にアンロックする構成」は、本願発明１３の「前記複数のアンロック対象のいずれかが選択された場合、前記選択されたアンロック対象と前記対応するロック区域の間の位置関係を確定し、前記位置関係は、前記選択されたアンロック対象が前記対応するロック区域の縁の内側に位置する第１の関係、前記選択されたアンロック対象が前記対応するロック区域の前記縁に位置する第２の関係、前記対応するアンロック対象が前記ロック区域の前記縁の外側に位置する第３の関係のうちの一つである位置相関ユニット」及び「前記選択されたアンロック対象と前記対応するロック区域の前記位置関係が第３の関係を満たす場合に、前記選択されたアンロック対象に対応する機能のための前記接触制御をアンロックするために配置される接触制御アンロックユニット」と、「前記複数のアンロック対象のいずれかが選択された場合、前記選択されたアンロック対象と前記対応するロック区域の間の位置関係を確定し、前記位置関係は、前記選択されたアンロック対象が前記対応するロック区域の外側に位置していない第３の関係以外の関係、前記対応するアンロック対象が前記ロック区域の外側に位置する第３の関係のうちの一つである位置相関ユニット」及び「前記選択されたアンロック対象と前記対応するロック区域の前記位置関係が第３の関係を満たす場合に、前記選択されたアンロック対象に対応する機能のための前記接触制御をアンロックするために配置される接触制御アンロックユニット」である点では共通するといえる。
　したがって、両者は以下の一致点と相違点を有する。
〈一致点〉
「接触制御端末の接触制御をアンロックするためのデバイスであって、
アンロックしようとする機能に対応する複数のアンロック対象、及びアンロック対象にそれぞれ対応し前記アンロック対象のロック区域を認識するために配置される対応認識ユニットと、
前記複数のアンロック対象のいずれかが選択された場合、前記選択されたアンロック対象と前記対応するロック区域の間の位置関係を確定し、前記位置関係は、前記選択されたアンロック対象が前記対応するロック区域の外側に位置していない第３の関係以外の関係、前記対応するアンロック対象が前記ロック区域の外側に位置する第３の関係のうちの一つである位置相関ユニットと、
前記選択されたアンロック対象と前記対応するロック区域の前記位置関係が第３の関係を満たす場合に、前記選択されたアンロック対象に対応する機能のための前記接触制御をアンロックするために配置される接触制御アンロックユニットと
を有するデバイス。」
〈相違点１〉
　「対応認識ユニット」が認識する「ロック区域」が、本願発明１３は、アンロック対象にそれぞれ対応し、「アンロック対象を幾何学的な中心とする」ものであるのに対し、引用発明２は、アンロック対象にそれぞれ対応しているものの、そのようなロック区域ではない点。
〈相違点２〉
　本願発明１３は、「前記複数のアンロック対象のいずれかが選択された場合、前記選択されたアンロック対象と前記対応するロック区域の間の位置関係を確定し、前記位置関係は、前記選択されたアンロック対象が前記対応するロック区域の縁の内側に位置する第１の関係、前記選択されたアンロック対象が前記対応するロック区域の前記縁に位置する第２の関係、前記対応するアンロック対象が前記ロック区域の前記縁の外側に位置する第３の関係のうちの一つ」であり、「前記複数のアンロック対象のいずれかが選択された場合、選択されなかったアンロック対象を非表示又は非作動にする」ものであるのに対し、引用発明２は、「ユーザが所定のジェスチャを行ったアンロック画像が、所定のアンロック基準を満たす領域の内側に位置するか否か」に確定するものであり、上記「ユーザが所定のジェスチャを行ったアンロック画像」以外のアンロック画像を非表示又は非動作にするものではない点。
（２）相違点２についての判断
　事案に鑑みて、上記相違点２について先に検討する。
　本願発明１３は、「アンロック対象のいずれかが選択された場合」、「アンロック対象」と「対応するロック区域」との位置関係を確定するものであり、当該位置関係が「ロック区域の縁の内側」、「ロック区域の縁の位置」、「ロック区域の縁の外側」であり得ることを考慮すれば、本願発明１３において、「アンロック対象のいずれかが選択された場合」とは、「アンロック対象のいずれかが選択され（ドラッグされることにより）ロック区域との位置関係が変化する場合」を指すことと認められる。
　そして、引用例２，引用例３に記載されるように、選択されたオブジェクト以外のオブジェクトを消去することは、本願の優先日前周知技術であったものと認められるものの、引用例２、引用例３に記載された技術はいずれも、選択されたアイコンと所定の領域との位置関係が変化するものではなく、選択されたアイコンと所定の領域との変化する位置関係を確定する場合である、「複数のアンロック対象のいずれかが選択された場合」に選択されなかったアイコンを消去することが、本願の優先日前周知技術であったとはいえない。
　したがって、相違点２に係る本願発明１３の構成は、当業者であっても引用発明及び上記周知技術に基づいて容易に発明できたものであるとはいえない。
４．請求項１４−１７について
　本願発明１４−１６は、本願発明１３を直接又は間接的に引用する発明であり、本願発明１７は、本願発明１３−１６のデバイスを有する接触制御端末であるから、本願発明１３と同じ理由により、当業者であっても、引用発明、引用例４記載の技術および上記周知技術に基づいて容易に発明をすることができたものとはいえない。
第７　原査定についての判断
　上記「第６　対比・判断」の「１．本願発明１について」で検討したように、原査定で引用された引用文献Ａ（引用例４）、引用文献Ｂ（引用例１）に基づいて、本願発明１は、当業者が容易に発明をすることができたとはいえない。
　また、引用文献Ｃにも、本願発明１の上記相違点１および上記相違点２に係る構成は、記載も示唆もされていない。
　したがって、本願発明１は、当業者であっても、引用文献Ａ−Ｃに基づいて容易に発明できたものではなく、原査定を維持することはできない。
　また、本願発明２−１２も、本願発明１と同じ理由により、当業者であっても、引用文献Ａ−Ｃに基づいて容易に発明をすることができたものとはいえない。
　上記「第６　対比・判断」の「３．本願発明１３について」で検討したように、原査定で引用された引用文献Ａ（引用例４）、引用文献Ｂ（引用例１）に基づいて、本願発明１３は、当業者が容易に発明をすることができたとはいえない。
　また、引用文献Ｃにも、本願発明１３の上記相違点２に係る構成は、記載も示唆もされていない。
　したがって、本願発明１３は、当業者であっても、引用文献Ａ−Ｃに基づいて容易に発明できたものではなく、原査定を維持することはできない。
　また、本願発明１４−１７は、相違点２に係る本願発明１３と同一の構成を備えるものであるから、本願発明１３と同じ理由により、当業者であっても、引用文献Ａ−Ｃに基づいて容易に発明をすることができたものとはいえない。
第８　むすび
　以上のとおり、原査定の理由によって、本願を拒絶することはできない。
　また、他に本願を拒絶すべき理由を発見しない。
　よって、結論のとおり審決する。